(57)【要約】【課題】錘収納部に収納されている錘小片の数に関わらず、錘部が安定してより遠くまで投てき可能な錘を搭載した錘付きテンビンを提供する。【解決手段】釣り仕掛け上に取り付けられる錘付きテンビンであって、テンビン本体部と、上記テンビン本体部に取り付けられた錘部とからなり、上記錘部は内部中空に形成された錘収納部と上記錘収納部に収納された複数の錘小片とを備え、上記錘部には、収納された錘小片を所定位置に固定しうる付勢部材が配設された構成とする。【選択図】図２
0003151919.tif 000002
【実用新案登録請求の範囲】
【請求項１】
釣り仕掛け上に取り付けられる錘付きテンビンであって、
テンビン本体部と、
上記テンビン本体部に取り付けられた錘部とからなり、
上記錘部は内部中空に形成された錘収納部と上記錘収納部に収納された複数の錘小片とを備え、
上記錘部には、収納された錘小片を所定位置に固定しうる付勢部材が配設されていることを特徴とする錘付きテンビン。
【請求項２】
上記錘収納部は、上端部に開口部を有し、円筒形状に形成された錘収納部本体と、上記開口部を閉止しうる蓋部とから形成され、
上記複数の錘小片は、円柱形に形成されると共に上記錘収納部本体の内部において、高さ方向に沿って積上げられて配置され、
上記付勢部材は上記蓋部内方に一端部が固定されたバネ部材で形成され、
上記バネ部材は、上記蓋部を閉止することによって上記バネ部材の他端部が上記錘小片を上記錘収納部の下端部方向に付勢することを特徴とする請求項１記載の錘付きテンビン。
【請求項３】
上記錘収納部本体の底面部は、先端に向かって次第に細径となるテーパー状に形成されて  いることを特徴とする請求項２記載の錘付きテンビン。
【請求項４】
上記複数の錘小片の内、最下段に配置される錘小片の外面部は、上記底面部の内面に沿って形成されていることを特徴とする請求項３記載の錘付きテンビン。
【請求項５】
上記テンビン本体部は中央部において直角に屈曲する屈曲部を有する全体Ｌ字形に形成された針金部材からなると共に、上記屈曲部には、Ｌ字形の係合部が形成され、
上記蓋部に設けられた孔部から上記係合部を挿入して係止することにより、上記錘部が上記テンビン本体部に取り付けられることを特徴とする請求項２記載の錘付きテンビン。
【考案の詳細な説明】
【技術分野】
【０００１】
本考案は、釣り仕掛け上に取り付けて使用する錘つきテンビンに関する。
【背景技術】
【０００２】
釣り仕掛けにおいて、道糸とハリスとの絡みを防止する目的でテンビンが取り付けられることが多く、また、投げ釣り用の錘とテンビンとが一体となった所謂錘付きテンビンも広く知られている。
図４に示すように、錘付きテンビン７０は、針金を屈曲させ略Ｌ字形に形成されたテンビン本体部７１と、上記テンビン本体部７１が貫装された錘部７２とから形成され、上記テンビン本体部７１の一端部７３には道糸７４が接続され、他端部７５にはハリス７６が接続されている。また、必要に応じ上記錘部７２には浮き部材７７が取り付けられている。
魚場の状況、対象となる魚種等によって、適宜異なった錘を使用する必要があり、複数種の錘部７２を常に携行することは非常に煩わしいという不具合を有していた。
【０００３】
一方、図５に示すように、中空有底円筒形の錘収納部８１と、上端部８２に設けられた開口部８３を閉止しうる蓋部８４と、上記錘収納部８１の内部に収納しうる複数の錘小片８５とからなる、重量調節が可能な錘８０が提案されている（特許文献１）。
上記錘８０は、例えば図６に示すように、上記錘収納部８１の底面部９４に設けられた孔部９２と、蓋部８４に設けられた孔部９３に管部材８６を貫装させ、上記錘収納部８１の底面部９４において上記管部材８６に直交して管部材８７を配置し、上記管部材８６、８７の内部に道糸８８を貫装させることによって釣り仕掛け上に取り付けられる。
また、図７に示すように、錘小片８５は、上記錘収納部８１の内径寸法と略同一の径寸法に形成されると共に、端縁部８９から中心部９０に向って、平面略Ｕ字形の切り欠き部９１を有する円形板状に形成されている。
図７に示すように、上記錘小片８５は上記切り欠き部９１を有していることから、図６に示すように、上記錘８０が釣り仕掛け上に取り付けられた状態のであっても、図８に示すように管部材８６と上記切り欠き部９１を嵌合させることによって、上記錘収納部８１内に上記錘小片８５を収納可能なため、錘小片８５の収納枚数を変更することにより錘８０の重量調整を簡易に行うことが可能となる。
【０００４】
しかしながら、図６に示すように、特許文献１の錘８０にあっては、上記錘収納部８１の高さ方向の中途まで錘小片８５が満たされた状態で、釣り仕掛けを投てきする場合、上記錘小片８５が上記錘収納部８１内で高さ方向に振動し易いことから、錘８０が全体として安定せず、十分な飛距離を得られない虞があるという不具合と有していた。
【０００５】
【特許文献１】特開２００５−１３２０７号
【考案の開示】
【考案が解決しようとする課題】
【０００６】
本考案の課題は、錘収納部に収納されている錘小片の数に関わらず、錘部が安定してより遠くまで投てき可能な錘を搭載した錘付きテンビンを提供することにある。
【課題を解決するための手段】
【０００７】
上記課題を解決するために、請求項１の考案は、釣り仕掛け上に取り付けられる錘付きテンビンであって、テンビン本体部と、上記テンビン本体部に取り付けられた錘部とからなり、上記錘部は内部中空に形成された錘収納部と上記錘収納部に収納された複数の錘小片とを備え、上記錘部には、収納された錘小片を所定位置に固定しうる付勢部材が配設されていることを特徴とする。
【０００８】
従って、錘収納部が錘小片によって満たされていない場合であっても、上記付勢部材によって上記錘小片が所定位置に固定され、投てき時において、上記錘小片が上記錘部の内部で振動し難くなる。
【０００９】
また、請求項２の考案は、上記錘収納部は、上端部に開口部を有し、円筒形状に形成された錘収納部本体と、上記開口部を閉止しうる蓋部とから形成され、上記複数の錘小片は、円柱形に形成されると共に上記錘収納部本体の内部において、高さ方向に沿って積上げられて配置され、上記付勢部材は上記蓋部内方に一端部が固定されたバネ部材で形成され、上記バネ部材は、上記蓋部を閉止することによって上記バネ部材の他端部が上記錘小片を上記錘収納部の下端部方向に付勢することを特徴とする。
【００１０】
従って、上記錘小片は上記バネ部材によって上記錘収納部の底面部に向かって付勢されるため、投てき時において上記錘小片が上記錘収納部の高さ方向に動かないことから、上記錘部が振動することがない。
【００１１】
また、請求項３の考案は、上記錘収納部本体の底面部は、先端に向かって次第に細径となるテーパー状に形成されていることを特徴とする。
従って、投てき時に上記錘収納部本体の底面部が受ける空気抵抗がより小さくなる。
また、請求項４の考案は、上記複数の錘小片の内、最下段に配置される錘小片の外面部は、上記底面部の内面に沿って形成されていることを特徴とする。
従って、錘小片と上記錘収納部の底面部とがより密着し、上記錘収納部において、上記錘小片がより振動し難くなる。
【００１２】
また、請求項５の考案は、上記テンビン本体部は中央部において直角に屈曲する屈曲部を有する全体Ｌ字形に形成された針金部材からなると共に、上記屈曲部には、Ｌ字形の係合部が形成され、上記蓋部に設けられた孔部から上記係合部を挿入して係止することにより、上記錘部が上記テンビン本体部に取り付けられることを特徴とする。
【００１３】
従って、上記錘小片を上記錘収納部から出し入れする場合、上記錘収納部を上記テンビン本体部から離脱させた上で行うことができる。
また、上記錘収テンビン本体部と上記錘部とを接続するために別途の部品等を必要としない。
【考案の効果】
【００１４】
請求項１の錘付きテンビンにあっては、テンビン本体部と上記テンビン本体部に取り付けられた錘部とからなり、上記錘部は内部中空に形成された錘収納部と上記錘収納部に収納された複数の錘小片とを備え、上記錘部には、収納された錘小片を所定位置に固定しうる付勢部材が配設されていることから、錘収納部に収納されている錘小片の数に関わらず、上記付勢部材によって上記錘小片が所定位置に固定され、錘部が全体として安定し、より遠くまで投てき可能な錘を搭載した錘付きテンビンを提供することが可能となる。
【００１５】
また、請求項２の錘付きテンビンにあっては、上記錘収納部は上端部に開口部を有し、円筒形状に形成された錘収納部本体と、上記開口部を閉止しうる蓋部とから形成され、上記複数の錘小片は、円柱形に形成されると共に上記錘収納部本体の内部において、高さ方向に沿って積上げられて配置され、上記付勢部材は上記蓋部内方に一端部が固定されたバネ部材で形成され、上記バネ部材は、上記蓋部を閉止した状態において、上記錘収納部の内部において高さ方向に沿って配置されることから、請求項１の効果に加え、蓋部を閉止する操作のみで、上記錘収納部に収納された錘小片を確実に固定することが可能であり、錘部の重さ調節がより容易となる。
また図７に示す従来の重量調節が可能な錘とは異なり、錘小片に切り欠き部を形成するための加工を要しないことから、構成部品の製造コストをより低減することが可能となる。
【００１６】
また、請求項３の錘付きテンビンにあっては、上記錘収納部本体の底面部は、先端に向かって次第に細径となるテーパー状に形成されていることから、投てき時に上記錘収納部本体の底面部が受ける空気抵抗がより小さくなり、より遠くに投てきすることが可能となる。
また、請求項４の錘付きテンビンにあっては、上記複数の錘小片の内、最下段に配置される錘小片の外面部は上記底面部の内面に沿って形成されていることから、錘小片と上記錘収納部の内底面部がより密着し、投てきの際に錘小片が振動し難くなり、より錘部が安定する。
【００１７】
また、請求項５の考案は、上記テンビン本体部は中央部において直角に屈曲する屈曲部を有する全体Ｌ字形に形成された針金部材からなると共に、上記屈曲部には、Ｌ字形の係合部が形成され、上記蓋部に設けられた孔部から上記係合部を挿入して係止することにより、上記錘部が上記テンビン本体部に取り付けられることから、錘部とテンビン本体部との接続に別途の部品を必要としない。
従って、上記錘小片を上記錘収納部から出し入れする操作を行う場合に、上記錘収納部を上記テンビン本体部から取り外して上記操作を行うことができる。
また、上記錘収納部には孔部形成等の加工が不要であることから、より製造コストを低減することが可能となる。
【図面の簡単な説明】
【００１８】
【図１】本考案に係る錘付きテンビンを釣り仕掛け上に取り付けた状態を示す側面図である。
【図２】本考案の一実施の形態を示し、実施例の形態における錘付きテンビンの構造を示す側方断面図である。
【図３】本考案の一実施の形態を示し、実施例の形態における錘付きテンビンの錘部の蓋部を開放した状態における錘収納部本体と蓋部の側方断面図である。
【図４】従来の錘付きテンビンを示す側面図である。
【図５】従来の重量調節が可能な錘の側方断面図である。
【図６】従来の重量調整が可能な錘を釣り仕掛け上に取り付けた状態を示す側面図である。
【図７】従来の重量調節が可能な錘の分解斜視図である。
【図８】図５におけるＡ−Ａ線断面図である。
【考案を実施するための最良の形態】
【００１９】
本考案を実施するための形態について、図面を用いて説明する。
図１に示すように釣り仕掛け１０上に取り付けられる錘付きテンビン１１であって、テンビン本体部１２と、上記テンビン本体部１２に取り付けられた錘部１３とからなり、図２に示すように、上記錘部１３は内部中空に形成された錘収納部１４と上記錘収納部１４に収納された複数の錘小片１５ａ、１５ｂ、１５ｃとを備え、上記錘部１３には、収納された錘小片１５ａ、１５ｂ、１５ｃを所定位置に固定しうる付勢部材であるバネ部材１６が配設されている。
また、上記錘収納部１４は上端部１７に開口部１８を有し、円筒形状に形成された錘収納部本体１９と、上記開口部１８を閉止しうる蓋部２０とから形成され、上記複数の錘小片１５ａ、１５ｂ、１５ｃは、円柱形に形成されると共に上記錘収納部本体１９の内部において、高さ方向に沿って積上げられて配置され、上記バネ部材１６は、上記蓋部２０の内方に一端部２１が固定され上記蓋部２０を閉止することによって上記バネ部材１６の他端部２２が上記錘小片１５ａ、１５ｂ、１５ｃを上記錘収納部１４の下端部２３方向に付勢する。
また、上記錘収納部本体１９の底面部２４は、先端に向かって次第に細径となるテーパー状に形成され、上記複数の錘小片１５ａ、１５ｂ、１５ｃの内、最下段に配置される錘小片１５ａの外面部は上記底面部２４の内面に沿って形成されている。
また、上記テンビン本体部１２は中央部において直角に屈曲する屈曲部２５を有する全体Ｌ字形に形成された針金部材２８からなると共に、上記屈曲部２５には、Ｌ字形の係合部２６が形成され、上記蓋部２０に設けられた孔部２７から上記係合部２６を挿入して係止することにより、上記錘部１３が上記テンビン本体部１２に取り付けられる。
【実施例】
【００２０】
以下に、図面を用いて本実施例の構成について詳細を説明する。
図１は、本実施例の錘付きテンビン１１を釣り仕掛け１０上に取り付けた状態の側面図を示している。
図１に示すように、テンビン本体部１２は所定の長さ寸法を有する針金部材２８から形成され、略中央部において屈曲されると共に、両端部には道糸３５及びハリス３６を通すためのリング部３７ａ、３７ｂが形成されている。
上記道糸３５とハリス３６はヨリモドシ（図１には図示せず）等を介して接続されている。  
また、図２は、本実施例の錘付きテンビン１１の構造を示す側方断面図である。
図２に示すように、上記テンビン本体部１２には屈曲部２５において重なり部２９が形成され、更に上記重なり部２９の先端を略Ｌ字形に屈曲することにより係合部２６が形成されている。
上記重なり部２９は、蓋部２０の頂上部３０に設けられた孔部２７から蓋部２０の内方に挿入され、係合部２６が上記蓋部２０の内面に係止されている。
また、図３は錘部収納部１４を、錘収納部本体１９と蓋部２０に分解した状態を示す断面図である。
図３に示すように、蓋部２０に一端部２１が固定されたバネ部材１６は、錘収納部本体１９に錘小片１５ａのみが収納された場合であっても、錘小片１５ａを上記収納部本体１９の底面部２４に固定するために十分な付勢力を発揮しうるバネ定数及び長さ寸法に形成されている。
また、上記蓋部２０の内周面部３１には雌ネジ部３２が設けられると共に、上記錘収納部本体１９の上端部１７の外周面部３４には、上記雌ネジ部３２と螺合しうる雄ネジ部３３が形成されている。
【００２１】
図２に示すように、本実施例に係る錘付きテンビン１１は、錘部１３に収納する錘小片１５ａ、１５ｂ、１５ｃの収納数を変更することによって、魚場の状況、対象となる魚種等に応じて、錘部１３の重量を適宜調整しうることから、予め複数の種類の錘を携行する煩わしさがない。
また、上記錘収納部本体１９の底面部２４は、先端に向かって次第に細径となるテーパー状に形成されていることから、投てきした場合に、上記底面部２４が受ける空気抵抗が小さくなり、より遠くまで仕掛けを投てきすることが可能となる。
また、バネ部材１６によって、上記錘収納部１４に収納されている錘小片１５ａ，１５ｂ，１５ｃの数に関わらず、上記錘小片１５ａ，１５ｂ、１５ｃが錘収納部本体内１９に固定され振動し難くなり、また、最下段に配置される錘小片１５ａの外面部は上記底面部２４の内面に沿って形成されていることから、錘小片１５ａが上記底面部２４に密着し、上記錘小片１５ａは更に振動し難くなる。
従って、投てき時において錘部１３が全体としてより安定することから、さらに遠くまで仕掛けを投てきすることが可能である共に、狙った方向に向けて確実に投てきを行うことが可能となる。
また、錘小片１５ａ、１５ｂ、１５ｃを増減する場合、蓋部２０と錘収納部本体１９との螺合を外すことによって、錘収納部本体１９を簡単に離脱させることが可能であることから、錘小片１５ａ，１５ｂ，１５ｃの増減操作が非常に容易となる。
また、錘小片１５ａ，１５ｂ，１５ｃには切り欠き部形成等の加工を要しないことから、構成部品の製造コストをより低減することが可能となる。
【００２２】
なお、本実施例においては、錘小片は錘小片１５ａ．１５ｂ，１５ｃとして説明しているが、錘収納部１４に収納される錘小片の数、個々の錘小片の大きさ、及び重量については錘部１３の大きさに従って適宜変更することが可能である。
また、上記バネ部材１６は図２及び図３中においては巻きバネとしているが、同等の付勢力が得られるのであれば、板バネ等を用いてもよく、上記蓋部２０と上記収納部本体１９とは、簡易に開閉可能であれば嵌め込み方式等、ネジ手段以外の固定方法を用いても、本実施例と同様の作用及び効果を得ることが可能である。
【産業上の利用可能性】
【００２３】
本考案は、本考案は、釣り仕掛け上に取り付けて使用する錘つきテンビンに適用可能である。
【符号の説明】
【００２４】
１０  釣り仕掛け
１１  錘付きテンビン
１２  テンビン本体部
１３  錘部
１４  錘収納部
１５ａ錘小片
１５ｂ錘小片
１５ｃ錘小片
１６  バネ部材  
１７  錘収納部本体の上端部
１８  錘収納部本体の開口部
１９  錘収納部本体
２０  蓋部
２１  バネ部材の一端部
２２  バネ部材の他端部
２３  錘収納部の下端部
２４  錘収納部本体の底面部
２５  テンビン本体部の屈曲部
２６  係合部
２７  蓋部の孔部
２８  針金部材
２９  テンビン本体部の重なり部
３０  蓋部の頂上部
３１  蓋部の内周面部
３２  雌ネジ部
３３  雄ネジ部
３４  収納部本体上端の外周面部
３５  道糸
３６  ハリス
３７ａリング部
３７ｂリング部
７０  錘付きテンビン
７１  テンビン本体部
７２  錘部
７３  テンビン本体部の一端部
７４  道糸
７５  テンビン本体部の他端部
７６  ハリス
７７  浮き部材
８０  錘
８１  錘収納部
８２  錘収納部の上端部
８３  錘収納部の開口部
８４  蓋部  
８５  錘小片
８６  管部材
８７  管部材
８８  道糸
８９  錘小片部の端縁部
９０  錘小片部の中心部
９１  切り欠き部
９２  収納部の底面部の孔部
９３  蓋部の孔部
９４  収納部の底面部
【図１】
0003151919.tif 000003
【図２】
0003151919.tif 000004
【図３】
0003151919.tif 000005
【図４】
0003151919.tif 000006
【図５】
0003151919.tif 000007
【図６】
0003151919.tif 000008
【図７】
0003151919.tif 000009
【図８】
0003151919.tif 000010